(57)【要約】【課題】複数のアンテナにより電波障害物の影響を回避し、電波の送信あるいは受信を行なうアンテナ装置を得る。【解決手段】互いに異なる範囲を指向する第１の覆域５０１と第２の覆域５０２とを有する第１のアンテナ３０１と、前記第１の覆域５０１と前記第２の覆域５０２とに挟まれて配置され、前記第１のアンテナ３０１を挟み互いに異なる範囲を指向する第３の覆域５０３と第４の覆域５０４とを有する第２のアンテナ３０２とを備えるようアンテナ装置を構成する。電波障害物は、前記第１の覆域５０１と前記第２の覆域５０２とに挟まれ、かつ前記第３の覆域５０３と前記第４の覆域５０４とに挟まれた領域に配置する。【選択図】  図２
2013255031.tif 000002
【特許請求の範囲】
【請求項１】
互いに異なる範囲を指向する第１の覆域と第２の覆域とを有する第１のアンテナと、
前記第１の覆域と前記第２の覆域とに挟まれて配置され、前記第1のアンテナを挟み互いに異なる範囲を指向する第３の覆域と第４の覆域とを有する第２のアンテナと
を備えたアンテナ装置。
【請求項２】
電波障害物を挟み互いに異なる範囲を指向する第１の覆域と第２の覆域とを有する第１のアンテナと、
前記第１の覆域と前記第２の覆域とに挟まれ、前記電波障害物を前記第１のアンテナとで挟み、互いに異なる範囲を指向する第３の覆域と第４の覆域とを有する第２のアンテナとを備え、
前記電波障害物と前記第１のアンテナは、前記第３の覆域と前記第４の覆域とに挟まれて配置されている
アンテナ装置。
【請求項３】
互いに異なる範囲を指向する第１の覆域と第２の覆域とを有する第１のアンテナと、
前記第１の覆域と前記第２の覆域とに挟まれて配置され、前記第３のアンテナと前記第１のアンテナとをはさんで互いに異なる範囲を指向する第３の覆域と第４の覆域とを有する第２のアンテナと、
前記第１の覆域と前記第２の覆域とに挟まれ、かつ前記第３の覆域と前記第４の覆域に挟まれ、前記第1のアンテナと前記第２のアンテナとあわせて３角形を形成するよう配置された第３のアンテナとを備え、
前記第３のアンテナは、前記第１のアンテナと前記第２のアンテナとをはさんで互いに異なる範囲を指向する第５の覆域と第６の覆域とを有する
アンテナ装置。
【請求項４】
電波障害物を挟み互いに異なる範囲を指向する第１の覆域と第２の覆域とを有する第１のアンテナと、
前記電波障害物を挟み互いに異なる範囲を指向する第３の覆域と第４の覆域とを有する第２のアンテナと、
前記第１のアンテナと前記第２のアンテナとあわせて前記電波障害物を囲んで配置され、前記電波障害物を挟み互いに異なる範囲を指向する第５の覆域と第６の覆域とを有する第３のアンテナと
を備え、
前記第１のアンテナと前記第２のアンテナは、前記第５の覆域と前記第６の覆域とに挟まれて配置され、
前記第２のアンテナと前記第３のアンテナは、前記第１の覆域と前記第２の覆域とに挟まれて配置され、
前記第３のアンテナと前記第１のアンテナは、前記第３の覆域と前記第４の覆域とに挟まれて配置されている
アンテナ装置。
【請求項５】
前記第１のアンテナは前記第１の覆域を持つ第１の素子アンテナと前記第２の覆域を持つ第２の素子アンテナとを有する
請求項１ないし請求項４のいずれか１項に記載のアンテナ装置。
【発明の詳細な説明】
【技術分野】
【０００１】
本発明は、電波障害物の影響を回避し、電波の送信あるいは受信を行なうアンテナ装置に関する。
【背景技術】
【０００２】
従来のレーダ、電波監視システム、無線通信システムなどにおいて、水平方向の全周に対して電波の送信あるいは受信を行なう場合、複数の素子アンテナ（フェーズドアレイなどの複合アンテナを含む）を配置し、それら複数の素子アンテナの覆域を合わせて全周に対しての電波の送信あるいは受信を行なうことが行なわれる。そのような、複数の素子アンテナを用いるアンテナ装置においては、全周を覆域とすることと、アンテナ装置の規模の小型化とを同時に満足するため、複数の素子アンテナを、各素子アンテナの中心軸がほぼ一致するように異なる高さに接着するもの（例えば、特許文献１参照）や、水平方向に６０度ずらして上下２段に配置したアンテナユニットを水平方向に１２０度おきに同心状態で配置したもの（例えば、特許文献２参照）がある。
【先行技術文献】
【特許文献】
【０００３】
【特許文献１】特開平９−１３３９９０号公報（図１）
【特許文献２】特開平１１−２８４４３３号公報（図２）
【発明の概要】
【発明が解決しようとする課題】
【０００４】
従来のアンテナ装置では、素子アンテナを１つの中心軸の周りに異なる高さに積み上げているため、支柱、艦船のマスト、ビルディングなどの構造物にアンテナを設置しようとする場合、いずれかの素子アンテナに対して設置対象となる構造物自体が電波障害物となってしまい、覆域を構造物に遮られることなく、アンテナを構造物に取り付けることは困難であるという課題があった。この発明は、上記のような課題を解決するためになされたもので、電波障害物による遮蔽の影響を回避できるアンテナ装置を得るためのものである。
【課題を解決するための手段】
【０００５】
この発明に係るアンテナ装置においては、上記のような課題を解決するため、互いに異なる範囲を指向する第１の覆域と第２の覆域とを有する第１のアンテナと、前記第１の覆域と前記第２の覆域とに挟まれて配置され、前記第１のアンテナを挟み互いに異なる範囲を指向する第３の覆域と第４の覆域とを有する第２のアンテナとを備えるようにしたものである。
【発明の効果】
【０００６】
この発明に係るアンテナ装置では、互いに異なる範囲を指向する第１の覆域と第２の覆域とを有する第１のアンテナと、前記第１の覆域と前記第２の覆域とに挟まれて配置され、前記第１のアンテナを挟み互いに異なる範囲を指向する第３の覆域と第４の覆域とを有する第２のアンテナとを備えるようにしたため、第１のアンテナの第１の覆域と第２の覆域とに挟まれ、かつ第２のアンテナの第３の覆域と第４の覆域に挟まれた範囲に電波障害物が存在するようにアンテナを配置すれば、いずれのアンテナの覆域も電波障害物に遮られる事が無く、電波障害物による遮蔽の影響を回避できる。
【図面の簡単な説明】
【０００７】
【図１】この発明に係るアンテナ装置の運用に関する概念を示す図である。
【図２】この発明の実施の形態１に係るアンテナ装置の構成を示す図である。
【図３】この発明の実施の形態１に係るアンテナ装置の覆域を構成する手順の一例を示す図である。
【図４】この発明の実施の形態２に係るアンテナ装置の構成を示す図である。
【図５】この発明の実施の形態２に係るアンテナ装置の構成を示す図である。
【図６】この発明の実施の形態３に係るアンテナ装置の構成を示す図である。
【図７】この発明の実施の形態４に係るアンテナ装置の構成を示す図である。
【図８】この発明の実施の形態５に係るアンテナ装置の構成を示す図である。
【図９】この発明の実施の形態６に係るアンテナ装置の構成を示す図である。
【図１０】この発明の実施の形態７に係るアンテナ装置の構成を示す図である。
【発明を実施するための形態】
【０００８】
実施の形態１．
図１は、本発明に係るアンテナ装置の運用に関する概念を示す図であり、本発明のアンテナ装置を受信に用いる場合の例である。図１において、１０は任意の方向に存在する電波発信源であり、レーダや無線機などの送信アンテナまたは、レーダの電波を反射する物体などである。電波発信源１０から電波２０が発信される。本発明に係るアンテナ装置は、図１に示した第１のアンテナ３１および第２のアンテナ３２の２つのアンテナ、または、第１のアンテナ３１、第２のアンテナ３２、および第３のアンテナ３３の３つのアンテナ（第３のアンテナ３３は、図１中に表示していない）により構成されるが、任意の方向から到来する電波２０を受信するために、４０に示される構造物（例えば、支柱やマストやビルディングなど）の高所の側面などに取り付けることで見通しを確保する。第１のアンテナ３１、第２のアンテナ３２、および第３のアンテナ３３の各アンテナは、例えば、図１のように、構造物４０の側面の周囲に、棚状の構造４１を設けた上でその上に置くなどにより設置する。第１のアンテナ３１や第２のアンテナ３２や第３のアンテナ３３が充分に小型かつ軽量である場合は、支持アームを構造物４０の側面から外側に向かって伸ばし、直接第１のアンテナ３１の側面や第２のアンテナ３２の側面や第３のアンテナ３３の側面を支えるなどにより設置することもある。
【０００９】
第１のアンテナ３１、第２のアンテナ３２、および第３のアンテナ３３は、構造物４０の側面に取り付けるものであるため、第１のアンテナ３１や第２のアンテナ３２や第３のアンテナ３３と同じ高さにある、構造物４０の部分は、電波を受信する上で、電波を遮るものとなる。このため、上述のようにアンテナ装置を設置する場合、任意の方向から到来する電波２０を受信する上では、見通し確保のために使用している構造物４０自体も電波を遮るものであるため、第１のアンテナ３１および第２のアンテナ３２の２つのアンテナの覆域または、第１のアンテナ３１、第２のアンテナ３２、および第３のアンテナ３３の３つのアンテナの覆域を、構造物４０による遮蔽の影響を回避するように設定し、全周にわたって見通しを確保する。
【００１０】
図２は、本発明の実施の形態１に係るアンテナ装置の構成を示す図であり、アンテナ装置を第１のアンテナ３１および第２のアンテナ３２の２つのアンテナで構成した例を示している。図２は、第１のアンテナ３１および第２のアンテナ３２とその覆域を上（図１のＡで示した矢印の方向）から見た図を示している。図１に示した第１のアンテナ３１、第２のアンテナ３２、構造物４０は、実施の形態１では、それぞれ第１のアンテナ３０１、第２のアンテナ３０２、構造物４００に相当する。図２に示すとおり、第１のアンテナ３０１は、覆域が第１の覆域５０１となる素子アンテナ６０１と、覆域が第２の覆域５０２となる素子アンテナ６０２と、覆域が第５の覆域５０５となる素子アンテナ６０５を備えている。このため、第１の覆域５０１、第２の覆域５０２、第５の覆域５０５は、第１のアンテナ３０１の覆域となる。また、第２のアンテナ３０２は、覆域が第３の覆域５０３となる素子アンテナ６０３と、覆域が第４の覆域５０４となる素子アンテナ６０４と、覆域が第６の覆域５０６となる素子アンテナ６０６を備えている。このため、第３の覆域５０３、第４の覆域５０４、第６の覆域５０６は、第２のアンテナ３０２の覆域となる。
【００１１】
ところで、本発明の実施の形態１ないし実施の形態７に係る、第１のアンテナ３１、第２のアンテナ３２、または第３のアンテナ３３のいずれかに配置されている素子アンテナは、それぞれの素子アンテナで必要とする覆域を有するものであれば良く、単一のアンテナであっても、アレーアンテナであっても、あるいは、それぞれ別方向に覆域を持つ複数のアンテナを組合せ、複数のアンテナの覆域の合計が結果として所要の覆域と同じになるものでも良い。例えば、図２において、第１のアンテナ３０１に配置されている第１の素子アンテナ６０１は、第１の覆域５０１を有するものであれば、単一のアンテナであっても、アレーアンテナであっても、あるいは、それぞれ別方向に覆域を持つ複数のアンテナを組合せ、複数のアンテナの覆域の合計が結果として第１の覆域５０１と同じになるものでも良い。これは、第２の素子アンテナ６０２ないし第６の素子アンテナ６０６、第２の覆域５０２ないし第６の覆域５０６のいずれについても同様である。
【００１２】
さらに、本発明の実施の形態１ないし実施の形態７に係る、第１のアンテナ３１、第２のアンテナ３２、または第３のアンテナ３３のいずれかに配置されている素子アンテナについては、第１のアンテナ３１の複数の覆域を共に有する１つの素子アンテナか、第２のアンテナ３２の複数の覆域を共に有する１つの素子アンテナか、または第３のアンテナ３３の複数の覆域を共に有する１つの素子アンテナがあれば、それぞれの覆域に対応する素子アンテナを、そのような複数の覆域を共に有する１つの素子アンテナで置き換えても良い。例えば、図２の第１のアンテナ３０１において、第１の覆域５０１と第５の覆域５０５を共に有する１つの素子アンテナがあれば、第１の素子アンテナ６０１と第５の素子アンテナ６０５のかわりに、第１の覆域５０１と第５の覆域５０５などの複数の覆域を共に有する１つの素子アンテナを使用しても良い。
【００１３】
また、本発明の実施の形態１ないし実施の形態７に係る、第１のアンテナ３１、第２のアンテナ３２、または第３のアンテナ３３のいずれかに配置されているそれぞれの素子アンテナについては、その素子アンテナの覆域の側に開口面があり、開口面と反対側の面が背面となる。それぞれの素子アンテナを上方から見て、覆域に対して左側の端がその素子アンテナの開口面の左端であり、覆域に対して右側の端がその素子アンテナの開口面の右端である。このことを、例として、図２の第１の素子アンテナ６０１について示すと、その覆域である第１の覆域５０１の側に開口面（図２のＢの矢印に対向した面）があり、第１の素子アンテナ６０１において、開口面と反対側の面が背面となる。また、第１の素子アンテナ６０１を上方から見て、第１の覆域に対して左側の端（図２のＣの矢印の先で示した端）が、第１の素子アンテナ６０１の開口面の左端であり、第１の素子アンテナ６０１を上方から見て、第１の覆域に対して右側の端が第１の素子アンテナ６０１の開口面の右端である。
【００１４】
図２に示した実施の形態１に係るアンテナ装置において、第１のアンテナ３０１は、三角柱状の構造の３つの側面のそれぞれに第１の素子アンテナ６０１、第２の素子アンテナ６０２、第５の素子アンテナ６０５を配置し、第１の素子アンテナ６０１を配置した側面と第２の素子アンテナ６０２を配置した側面とに挟まれた角を構造物４００および第２のアンテナ３０２に向けている。また、第２のアンテナ３０２は、三角柱状の構造の３つの側面のそれぞれに第３の素子アンテナ６０３、第４の素子アンテナ６０４、第６の素子アンテナ６０６を配置し、第３の素子アンテナ６０３を配置した側面と第４の素子アンテナ６０４を配置した側面とに挟まれた角を構造物４００および第１のアンテナ３０１に向けている。
【００１５】
図２に示す例では、第１のアンテナ３０１および第２のアンテナ３０２の有する第１の覆域５０１ないし第６の覆域５０６の各覆域として、それぞれ全周を６等分した同等の広さをもつ覆域を使用した構成としている。図２では、そのような覆域の構成を得る例として、第１のアンテナ３０１は、同じ構造をもつ第１の素子アンテナ６０１、第２の素子アンテナ６０２、および第５の素子アンテナ６０５を上（図１のＡで示した矢印の方向）から見た形状が正三角形となる三角柱状の構造の３つの側面のそれぞれに配置し、第２のアンテナ３０２は、同じ構造をもつ第３の素子アンテナ６０３、第４の素子アンテナ６０４、および第６の素子アンテナ６０６を上（図１のＡで示した矢印の方向）から見た形状が正三角形となる三角柱状の構造の３つの側面のそれぞれに配置している。
【００１６】
図２では、第１のアンテナ３０１および第２のアンテナ３０２の有する第１の覆域５０１ないし第６の覆域５０６の各覆域はそれぞれ全周を６等分した同等の広さをもつ覆域である例を示したが、各覆域が同等の広さを持つことは、実施の形態１においてはあくまでも一例であり、電波障害物による遮蔽の影響を回避すること、全周を覆域とすることに必要な条件では無い。このため、周囲の環境や、運用上の要求に従い、各覆域をそれぞれ異なる広さとしても良い。また、第１の覆域５０１ないし第６の覆域５０６の各覆域をそれぞれ異なる広さとした場合、第１のアンテナ３０１および第２のアンテナ３０２を上（図１のＡで示した矢印の方向）から見た形状も必ずしも正三角形にはなるとは限らず、それぞれの覆域に対応して決まるそれぞれの素子アンテナの開口面の向きに対応した形状となる。
【００１７】
実施の形態１では、図２に示すとおり、第１のアンテナ３０１の覆域である第１の覆域５０１と第２の覆域５０２は、それぞれ異なる範囲を指向し、第２のアンテナ３０２は、第１の覆域５０１と第２の覆域５０２に挟まれて配置されている。第２のアンテナ３０２の覆域である第３の覆域５０３と第４の覆域５０４は、それぞれ異なる範囲を指向し、第３の覆域５０３と第４の覆域５０４とで第１のアンテナ３０１を挟んでいる。
【００１８】
また、電波障害物である構造物４００と、第１のアンテナ３０１の覆域および第２のアンテナ３０２の覆域との位置関係に関しては、構造物４００は、第１のアンテナ３０１のそれぞれ異なる範囲を指向している覆域である第１の覆域５０１と第２の覆域５０２とに挟まれていると共に、第２のアンテナ３０２のそれぞれ異なる範囲を指向している覆域である第３の覆域５０３と第４の覆域５０４とに挟まれている。
【００１９】
なお、第２のアンテナ３０２の第３の覆域５０３と第４の覆域５０４に挟まれ、第２のアンテナ３０２の覆域外である方向に関しては、第１のアンテナ３０１が第５の覆域５０５を覆域とする第５のアンテナ６０５を備えることによって第１のアンテナ３０１の覆域としている。同様に、第１のアンテナ３０１の第１の覆域５０１と第２の覆域５０２に挟まれ、第１のアンテナ３０１の覆域外である方向に関しては、第２のアンテナ３０２が第６の覆域５０６を覆域とする第６のアンテナ６０６を備えることによって第２のアンテナ３０２の覆域としている。
【００２０】
また、第１のアンテナ３０１の第１の覆域５０１と第５の覆域５０５の間の方向および第５の覆域５０５と第２の覆域５０２の間の方向は、第１のアンテナ３０１の覆域外であるが、それぞれ、第３の覆域５０３、第４の覆域５０４により、第２のアンテナ３０２の覆域としている。同様に、第２のアンテナ３０２の第３の覆域５０３と第６の覆域５０６の間の方向および第６の覆域５０６と第４の覆域５０４の間の方向は、第２のアンテナ３０２の覆域外であるが、それぞれ、第１の覆域５０１、第２の覆域５０２により、第１のアンテナ３０１の覆域としている。このため、第１のアンテナ３０１と第２のアンテナ３０２の覆域に含まれる、順に右回りに第３の覆域５０３、第５の覆域５０５、第４の覆域５０４、第２の覆域５０２、第６の覆域５０６、第１の覆域５０１とあわせると全周を連続した覆域となるため、第１のアンテナ３０１と第２のアンテナ３０２を有するアンテナ装置により全周を覆域とすることができる。
【００２１】
なお、図２において、第１のアンテナ３０１および第２のアンテナ３０２の近傍では、第３の素子アンテナ６０３による第３の覆域５０３と第５の素子アンテナ６０５による第５の覆域５０５との間に、どちらの覆域からも覆域外となる部分が存在する。これは、第１のアンテナ３０１および第２のアンテナ３０２の近傍では、覆域５０３と覆域５０５との間の任意の一点（仮にＸ地点とする）については、第３の素子アンテナ６０３からＸ地点を望む角度は、覆域５０３の境界から大きく外れており、同様に第５の素子アンテナ６０５からＸ地点を望む角度は、覆域５０５の境界から大きく外れているため、第３の素子アンテナ６０３においても、第５の素子アンテナ５０５においても覆域外となることによる。
【００２２】
しかし、十分遠方においては、第３の素子アンテナ６０３から任意のＸ地点を望む角度は第３の覆域５０３の境界の角度との差がほぼ０度であり、同様に、第５の素子アンテナ６０５から任意のＸ地点を望む角度は第５の覆域５０５の境界の角度との差がほぼ０度であるため、任意のＸ地点は第３の覆域５０３の境界上の点でもあり、覆域５０５の境界上の点でもあることになり、第３の覆域５０３と第５の覆域５０５は途切れることなく連続する。このことは、第５の覆域５０５と第４の覆域５０４、第５の覆域５０５と第４の覆域５０４、第２の覆域５０２と第６の覆域５０６、および、第６の覆域５０６と第１の覆域５０１のそれぞれの関係についても同様であり、十分遠方においてはこれらの覆域と覆域の間は連続するため、第１のアンテナ３０１の覆域と第２のアンテナ３０２の覆域とをあわせて、途切れることなく全周に連続した覆域を得ることができる。
【００２３】
また、図２では、第３の覆域５０３、第５の覆域５０５、第４の覆域５０４、第２の覆域５０２、第６の覆域５０６、第１の覆域５０１の各隣り合う覆域どうし、互いにその境界を接するように構成したが、第３の覆域５０３、第５の覆域５０５、第４の覆域５０４、第２の覆域５０２、第６の覆域５０６、第１の覆域５０１の各覆域を広くし、互いにその境界において重なるように構成しても良い。
【００２４】
図３は、図２で示す、実施の形態１に係るアンテナ装置の覆域を構成する手順の一例を示したものである。最初に、取り付ける対象である構造物４００の周囲に、構造物４００を挟んで第１のアンテナ３０１の設置位置７０１、第２のアンテナ３０２の設置位置７０２を決定する（図３（ａ））。次に、第１のアンテナの設置位置７０１から、構造物４００に遮られず、構造物を挟むように第１の覆域５０１と第２の覆域５０２を決定する。同様に、第２のアンテナの設置位置７０２から、構造物４００に遮られず、構造物を挟むように第３の覆域５０３と第４の覆域５０４を決定する（図３（ｂ））。
【００２５】
さらに、第１の覆域５０１と第２の覆域５０２に挟まれ、その角度についてα°の広がりを持つ方向については、第２のアンテナの設置位置７０２からその角度についてα°の広がりを持つ覆域５０６を配置することで、第１の覆域５０１から第２の覆域５０２までの覆域を連続させる。同様に、第３の覆域５０３と第４の覆域５０４に挟まれ、その角度についてβ°の広がりを持つ方向については、第１のアンテナの設置位置７０１からその角度についてβ°の広がりを持つ覆域５０５を配置することで、第３の覆域５０３から第４の覆域５０４までの覆域を連続させる。また、このとき、第１の覆域５０１と第３の覆域５０３、第２の覆域５０２と第４の覆域５０４など、第１のアンテナの覆域と第２のアンテナの覆域の間に連続で無い部分が有れば、連続で無い部分に近い覆域を広げるまたは、連続で無い部分について新たな覆域を第１のアンテナ３０１または第２のアンテナ３０２に設けるなどを行い、第１のアンテナの覆域と第２のアンテナの覆域が全周で連続であるようにする（図３（ｃ））。図３（ｃ）の状態から、第１のアンテナ３０１、第２のアンテナ３０２の有する全ての覆域（図３（ｃ）では、第１の覆域５０１ないし第６の覆域５０６）のそれぞれに対応して、素子アンテナ（図３（ｃ）では、第１の素子アンテナ６０１ないし第６の素子アンテナ６０６）を配置することで、図２の構成が得られる。
【００２６】
以上のように図２に示す構成のアンテナ装置では、第１のアンテナ３０１の第１の覆域５０１と第２の覆域５０２とに挟まれ、かつ、第２のアンテナ３０２の第３の覆域５０３と第４の覆域５０４に挟まれた範囲は、第１のアンテナ３０１の覆域からも第２のアンテナ３０２の覆域からも外れているため、この範囲に電波障害物である構造物４００が存在してもいずれのアンテナの覆域も遮ることが無い。また、第１のアンテナ３０１は、第２のアンテナ３０２の覆域から外れた範囲に位置し、第２のアンテナ３０２は第１のアンテナ３０１の覆域から外れた範囲に位置するため、互いに覆域を遮る事が無い。このため、第１の覆域５０１、第２の覆域５０２、第５の覆域５０５とを覆域とする第１のアンテナ３０１と、第３の覆域５０３、第４の覆域５０４、第６の覆域５０６とを覆域とする第２のアンテナ３０２とをあわせて備えることで、電波障害物による遮蔽の影響を受けることなく、全周の覆域を得ることができる。
【００２７】
実施の形態２．
図４（ａ）、（ｂ）および図５（ａ）、（ｂ）は、本発明の実施の形態２に係るアンテナ装置の構成を示す図であり、アンテナ装置を第１のアンテナ３１および第２のアンテナ３２の２つのアンテナで構成した構成を示している。図４は、第１のアンテナ３１および第２のアンテナ３２とその覆域を上（図１のＡで示した矢印の方向）から見た図を示している。図４（ａ）、（ｂ）および図５（ａ）、（ｂ）は、図１における第１のアンテナ３１および第２のアンテナ３２の構成を示しており、第１のアンテナ３１および第２のアンテナ３２について、図２と同様なそれぞれ第１の覆域５０１ないし第６の覆域を持つ第１の素子アンテナ６０１ないし第６の素子アンテナを用い、図２とは異なる配置を行なうことで、図２と同様の覆域を得る例を示す。
【００２８】
図４（ａ）における、第１のアンテナ３１１および第２のアンテナ３１２は、それぞれ図１に示した第１のアンテナ３１および第２のアンテナ３２の、実施の形態２における構成の一例である。図４（ａ）に示す構成では、第１のアンテナ３１１に、各素子アンテナの右端を中心に向けて、上（図１のＡで示した矢印の方向）から見て左回りに第１の素子アンテナ６０１、第２の素子アンテナ６０２、第５の素子アンテナ６０５の順に、各素子アンテナがＹ字状に並ぶよう配置している。また、第２のアンテナ３１２に、各素子アンテナの開口面の左端を中心に向けて、上（図１のＡで示した矢印の方向）から見て右回りに第３の素子アンテナ６０３、第４の素子アンテナ６０４、第６の素子アンテナ６０６の順に、各素子アンテナが、Ｙ字状に並ぶよう配置している。
【００２９】
図４（ｂ）における、第１のアンテナ３２１および第２のアンテナ３２２は、それぞれ図１に示した第１のアンテナ３１および第２のアンテナ３２の、実施の形態２における構成のもう一つの例を示す。また、図４（ｂ）に示す構成では、第１のアンテナ３２１に、各素子アンテナの開口面の左端を中心に向けて、上（図１のＡで示した矢印の方向）から見て右回りに第１の素子アンテナ６０１、第５の素子アンテナ６０５、第２の素子アンテナ６０２の順に、各素子アンテナが、Ｙ字状に並ぶよう配置している。また、第２のアンテナ３２２に、各素子アンテナの開口面の左端を中心に向けて、上（図１のＡで示した矢印の方向）から見て右回りに第３の素子アンテナ６０３、第４の素子アンテナ６０４、第６の素子アンテナ６０６の順に、各素子アンテナが、Ｙ字状に並ぶよう配置している。
【００３０】
図４（ａ）の配置をすることにより、図４（ａ）の第１のアンテナ３１１については、第１の素子アンテナ６０１などが、その背面に給電回路などを備える構造の場合、図４（ａ）のＤで示した矢印の部分に外部点検扉などの構造を設けることにより、第１の素子アンテナ６０１の背面にある給電回路などの点検、調整等を、第１の素子アンテナ６０１の背面から、第１のアンテナ３１１の有する他の素子アンテナなどに邪魔されずに容易に行なうことができることにより、整備性を向上させることができる。これは、第１のアンテナ３１１の有する第２の素子アンテナ６０２および第５の素子アンテナ６０５、第２のアンテナ３１２の有する第３の素子アンテナ６０３、第４の素子アンテナ６０４、および第６の素子アンテナ６０６についても同様である。また、図４（ｂ）の第１のアンテナ３２１の各素子アンテナ、第２のアンテナ３２２の各素子アンテナについても同様である。このため、図４（ａ）、（ｂ）の配置により、第１の素子アンテナ６０１ないし第６の素子アンテナ６０６のそれぞれについての整備性を向上させることができるという効果がある。
【００３１】
図５（ａ）における、第１のアンテナ３３１および第２のアンテナ３３２は、それぞれ図１に示した第１のアンテナ３１および第２のアンテナ３２の、実施の形態２における構成のさらなる一例である。図５（ａ）に示す構成では、上（図１のＡで示した矢印の方向）から見て、第１のアンテナ３３１および第２のアンテナ３３２に属する各素子アンテナの開口面の一方の延長を、隣にある素子アンテナの背面に対向させて配置し、各素子アンテナが、上（図１のＡで示した矢印の方向）から見て片歯車状に並べて配置している。図５（ａ）の構成では、第１のアンテナ３３１および第２のアンテナ３３２について、各素子アンテナの開口の左端を隣の素子アンテナの背面に対向させて配置しているが、各素子アンテナの開口の右端を隣の素子アンテナの背面に対向させて配置したものを使用しても、また、図４（ｂ）と同様に、それら両方の構成のアンテナを組み合わせて使用してもかまわない。
【００３２】
図５（ｂ）における、第１のアンテナ３４１および第２のアンテナ３４２は、それぞれ図１に示した第１のアンテナ３１および第２のアンテナ３２の、実施の形態２における構成の更にもう一つの例である。図５（ｂ）に示す構成は、第１のアンテナ３４１において、第１の素子アンテナ６０１と第２の素子アンテナ６０２が、第５の素子アンテナ６０５を両脇から挟む配置の例である。図５（ｂ）に示す配置では、第５の素子アンテナ６０５の開口の左端の延長が、第１の素子アンテナ６０１の背面に対向し、第５の素子アンテナ６０５の開口の右端の延長が、第２の素子アンテナ６０２の背面に対向するようにすることで、３つの素子アンテナが上（図１のＡで示した矢印の方向）から見て「コ」字状または、「エ」字状になるよう配置している。同様に、第２のアンテナ３４２において、第３の素子アンテナ６０３と第４の素子アンテナ６０４が、第６の素子アンテナ６０６を両脇から挟み、第６の素子アンテナ６０６の開口の左端の延長が、第４の素子アンテナ６０４の背面に対向し、第６の素子アンテナ６０６の開口の右端の延長が、第３の素子アンテナ６０３の背面に対向するようにすることで、３つの素子アンテナが上（図１のＡで示した矢印の方向）から見て「コ」字状または、「エ」字状になるよう配置したものである。
【００３３】
図５（ａ）の配置をすることにより、図５（ａ）の第１のアンテナ３３１については、第１の素子アンテナ６０１などが、その背面に給電回路などを備える構造の場合、図５（ａ）のＥで示した矢印の部分に外部点検扉などの構造を設けることにより、第１の素子アンテナ６０１の背面にある給電回路などの点検、調整等を、第１の素子アンテナ６０１の側面から、第１のアンテナ３３１の有する他の素子アンテナなどに邪魔されずに容易に行なうことができることにより、整備性を向上させることができる。これは、第１のアンテナ３３１の第２の素子アンテナ６０２、第５の素子アンテナ６０５、第２のアンテナ３３２の第３の素子アンテナ６０３、第４の素子アンテナ６０４、第６の素子アンテナ６０６についても同様である。図５（ａ）の配置により、各素子アンテナ６０１ないし６０６のそれぞれについての整備性を向上させることができるという効果がある。
【００３４】
また、図５（ｂ）の配置をすることにより、図５（ｂ）の第１のアンテナ３４１については、第１の素子アンテナ６０１などが、その背面に給電回路などを備える構造の場合、図５（ｂ）のＦで示した矢印の部分に外部点検扉などの構造を設けることにより、第１の素子アンテナ６０１の背面にある給電回路などの点検、調整等を、第１の素子アンテナ６０１の背面から、第１のアンテナ３４１の有する他の素子アンテナなどに邪魔されずに容易に行なうことができることにより、整備性を向上させることができる。これは、第１のアンテナ３４１の第２の素子アンテナ６０２、第５の素子アンテナ６０５、第２のアンテナ３４２の第３の素子アンテナ６０３、第４の素子アンテナ６０４、第６の素子アンテナ６０６についても同様である。図５（ｂ）の配置により、第１の素子アンテナ６０１ないし第６の素子アンテナ６０６のそれぞれについての整備性を向上させることができるという効果がある。
【００３５】
図４（ａ）、（ｂ）、図５（ａ）、（ｂ）のいずれについても、第１のアンテナ３１１、３２１、３３１または３４１の覆域である第１の覆域５０１と第２の覆域５０２は、それぞれ異なる範囲を指向し、第２のアンテナ３１２、３２２、３３２または３４２は、第１の覆域５０１と第２の覆域５０２に挟まれて配置されている。第２のアンテナ３１２、３２２、３３２または３４２の覆域である第３の覆域５０３と第４の覆域５０４は、それぞれ異なる範囲を指向し、第３の覆域５０３と第４の覆域５０４とで第１のアンテナ３１１、３２１、３３１または３４１を挟んでいる。また、電波障害物である構造物４００と第１のアンテナ３１１、３２１、３３１または３４１の覆域および第２のアンテナ３１２、３２２、３３２または３４２の覆域との位置関係に関しては、構造物４００は、第１のアンテナ３１１、３２１、３３１または３４１のそれぞれ異なる範囲を指向している覆域である第１の覆域５０１と第２の覆域５０２とに挟まれていると共に、第２のアンテナ３１２、３２２、３３２または３４２のそれぞれ異なる範囲を指向している覆域である第３の覆域５０３と第４の覆域５０４とに挟まれている。
【００３６】
このため、図４（ａ）、（ｂ）および図５（ａ）、（ｂ）に示す構成のアンテナ装置では、第１のアンテナ３１１、３２１、３３１または３４１の第１の覆域５０１と第２の覆域５０２とに挟まれ、かつ第２のアンテナ３１２、３２２、３３２または３４２の第３の覆域５０３と第４の覆域５０４に挟まれた範囲は、第１のアンテナ３１１、３２１、３３１または３４１の覆域からも第２のアンテナ３１２、３２２、３３２または３４２の覆域からも外れているため、この範囲に構造物４００等の電波障害物が存在してもいずれのアンテナの覆域も遮ることが無い。また、第１のアンテナ３１１、３２１、３３１または３４１は、第２のアンテナ３１２、３２２、３３２または３４２の覆域から外れた範囲に位置し、第２のアンテナ３１２、３２２、３３２または３４２は第１のアンテナ３１１、３２１、３３１または３４１の覆域から外れた範囲に位置するため、互いに覆域を遮る事が無い。このため、第１の覆域５０１、第２の覆域５０２、第５の覆域５０５を覆域とする第１のアンテナ３１１、３２１、３３１または３４１と、第３の覆域５０３、第４の覆域５０４、第６の覆域５０６とを覆域とする第２のアンテナ３１２、３２２、３３２または３４２とをあわせて備えることにより、電波障害物による遮蔽の影響を受けることなく、全周の覆域を得ることができる。
【００３７】
なお、図４（ａ）、（ｂ）および図５（ａ）、（ｂ）に示す構成では、図１に示す第１のアンテナ３１と第２のアンテナ３２について、第１のアンテナ３１１と第２のアンテナ３１２の様に、第１のアンテナ３１の備える各素子アンテナと、第２のアンテナ３２の備える各素子アンテナが同じ配置または対称な配置であるものどうしを用いている。しかし、図４（ａ）、（ｂ）および図５（ａ）、（ｂ）に示す第１のアンテナ３１１、３２１、３３１、および３４１はいずれも互いに異なる範囲を指向する第１の覆域５０１と第２の覆域５０２とを有し、第２のアンテナ３２１、３２２、３３２、および３４２はいずれも互いに異なる範囲を指向する第３の覆域５０３と第４の覆域５０４とを有すると言う同様の特徴を持つ。このため、図１に示す第１のアンテナ３１として第１のアンテナ３１１、３２１、３３１、または３４１のいずれか１つを用い、対する第２のアンテナ３２として第２のアンテナ３２１、３２２、３３２、または３４２のいずれか１つを用いたどの場合でも、第１のアンテナ３１の第１の覆域５０１と第２の覆域５０２で電波障害物である構造物４０と第２のアンテナ３２を挟み、第２のアンテナ３２の第３の覆域５０３と第４の覆域５０４で電波障害物である構造物４０と第１のアンテナ３１を挟む配置とすることで、電波障害物による遮蔽の影響を回避し、全周を覆域とすることができる。
【００３８】
実施の形態３．
図６は、本発明の実施の形態３に係るアンテナ装置の構成を示す図であり、アンテナ装置を第１のアンテナ３１および第２のアンテナ３２の２つのアンテナで構成した構成を示している。図６は、第１のアンテナ３１および第２のアンテナ３２とその覆域を上（図１のＡで示した矢印の方向）から見た図を示している。図６における、第１のアンテナ３５１および第２のアンテナ３５２は、それぞれ図１に示した第１のアンテナ３１および第２のアンテナ３２の、実施の形態３における構成の一例である。図６は、第１のアンテナ３５１および、第２のアンテナ３５２に、それぞれ５つの素子アンテナを備え、合計１０の素子アンテナの組合せで構成した例である。
【００３９】
第１のアンテナ３５１は、覆域が第１の覆域５２１となる第１の素子アンテナ６２１と、覆域が第２の覆域５２２となる第２の素子アンテナ６２２と、覆域が第５の覆域５２５となる第５の素子アンテナ６２５と、覆域が第７の覆域５２７となる第７の素子アンテナ６２７と、覆域が第８の覆域５２８となる第８の素子アンテナ６２８とを備えている。このため、第１の覆域５２１、第２の覆域５２２、第５の覆域５２５、第７の覆域５２７、および第８の覆域５２８は、第１のアンテナ３５１の覆域となる。第１のアンテナ３５１は、五角柱状の構造の５つの側面のそれぞれに第１の素子アンテナ６２１、第２の素子アンテナ６２２、第５の素子アンテナ６２５、第７の素子アンテナ６２７、第８の素子アンテナ６２８を配置し、第１の素子アンテナ６２１を配置した側面と第２の素子アンテナ６２２を配置した側面とに挟まれた角を構造物４００および第２のアンテナ３５２に向けている。
【００４０】
第２のアンテナ３５２は、覆域が第３の覆域５２３となる第３の素子アンテナ６２３と、覆域が第４の覆域５２４となる第４の素子アンテナ６２４と、覆域が第６の覆域５２６となる第６の素子アンテナ６２６と、覆域が第９の覆域５２９となる第９の素子アンテナ６２９と、覆域が第１０の覆域５３０となる第１０の素子アンテナ６３０とを備えている。このため、第３の覆域５２３、第４の覆域５２４、第６の覆域５２６、第９の覆域５２９、および第１０の覆域５３０は、第２のアンテナ３５２の覆域となる。第２のアンテナ３５２は、五角柱状の構造の５つの側面のそれぞれに第３の素子アンテナ６２３、第４の素子アンテナ６２４、第６の素子アンテナ６２６、第９の素子アンテナ６２９、第１０の素子アンテナ６３０を配置し、第３の素子アンテナ６２３を配置した側面と第４の素子アンテナ６２４を配置した側面とに挟まれた角を構造物４００および第１のアンテナ３５１に向けている。
【００４１】
図６に示す例では、第１のアンテナ３５１および第２のアンテナ３５２の有する第１の覆域５２１ないし第６の覆域５３０の各覆域として、それぞれ全周を１０等分した同等の広さをもつ覆域を使用した構成としている。図６では、そのような覆域の構成を得る例として、第１のアンテナ３５１は、それぞれが同じ構造をもつ第１の素子アンテナ６２１、第２の素子アンテナ６２２、第５の素子アンテナ６２５、第７の素子アンテナ６２７、および第８の素子アンテナ６２８の５つの素子アンテナを、上（図１のＡで示した矢印の方向）から見た形状が正五角形となる五角柱状の構造の五つの側面のそれぞれに配置し、第２のアンテナ３５２は、それぞれが同じ構造をもつ第３の素子アンテナ６２３、第４の素子アンテナ６２４、第６の素子アンテナ６２６、第９の素子アンテナ６２９、および第１０の素子アンテナ６３０の５つの素子アンテナを、上（図１のＡで示した矢印の方向）から見た形状が正五角形となる五角柱状の構造の五つの側面のそれぞれに配置している。
【００４２】
なお、図６では、第１のアンテナ３５１および第２のアンテナ３５２の有する第１の覆域５２１ないし第１０の覆域５３０の各覆域はそれぞれ全周を１０等分した同等の広さをもつ覆域である例を示したが、各覆域が同等の広さを持つことは、実施の形態３においてはあくまでも一例であり、電波障害物による遮蔽の影響を回避すること、全周を覆域とすることに必要な条件では無い。このため、周囲の環境や、運用上の要求に従い、各覆域をそれぞれ異なる広さとしても良い。また、第１の覆域５２１ないし第１０の覆域５３０の各覆域をそれぞれ異なる広さとした場合、第１のアンテナ３５１および第２のアンテナ３５２を上（図１のＡで示した矢印の方向）から見た形状も必ずしも正五角形にはなるとは限らず、それぞれの覆域に対応して決まるそれぞれの素子アンテナ面の向きに対応した形状となる。
【００４３】
第１のアンテナ３５１の覆域である第１の覆域５２１と第２の覆域５２２はそれぞれ異なる範囲を指向している。第２のアンテナ３５２は、第１の覆域５２１と第２の覆域５２２に挟まれて配置されている。第２のアンテナ３５２の覆域である第３の覆域５２３と第４の覆域５２４はそれぞれ異なる範囲を指向し、第３の覆域５２３と第４の覆域５２４とで第１のアンテナ３５１を挟んでいる。
【００４４】
また、電波障害物である構造物４００と、第１のアンテナ３５１の覆域および第２のアンテナ３５２の覆域との位置関係に関しては、構造物４００は、第１のアンテナ３５１のそれぞれ異なる範囲を指向している覆域である第１の覆域５２１と第２の覆域５２２とに挟まれていると共に、第２のアンテナ３５２のそれぞれ異なる範囲を指向している覆域である第３の覆域５２３と第４の覆域５２４とに挟まれている。
【００４５】
なお、第２のアンテナ３５２の第３の覆域５２３と第４の覆域５２４に挟まれ、第２のアンテナ３５２の覆域外である方向に関しては、第１のアンテナ３５１が第５の覆域５２５を覆域とする第５のアンテナ６２５を備えることによって第１のアンテナの覆域としている。同様に、第１のアンテナ３５１の第１の覆域５２１と第２の覆域５２２に挟まれ、第１のアンテナ３５１の覆域外である方向に関しては、第２のアンテナ３５２が第６の覆域５２６を覆域とする第６のアンテナ６２６を備えることによって第２のアンテナ３５２の覆域としている。さらに、第１の覆域５２１ないし第６の覆域５２６のいずれからも覆域外である方向に関しては、第７の素子アンテナ６２７による第７の覆域５２７ないし第１０の素子アンテナ６３０による覆域５３０のいずれかの覆域に含まれる。
【００４６】
このため、図６に示す構成のアンテナ装置についても、第１のアンテナ３５１の第１の覆域５２１と第２の覆域５２２とに挟まれ、かつ第２のアンテナ３５２の第３の覆域５２３と第４の覆域５２４に挟まれた範囲は、第１のアンテナ３５１の覆域からも第２のアンテナ３５２の覆域からも外れているため、この範囲に電波障害物である構造物４００が存在してもいずれのアンテナの覆域も遮ることが無い。また、第１のアンテナ３５１は、第２のアンテナ３５２の覆域から外れた範囲に位置し、第２のアンテナ３５２は第１のアンテナ３５１の覆域から外れた範囲に位置するため、互いに覆域を遮る事が無い。このため、第１の覆域５２１、第２の覆域５２２、第５の覆域５２５、第７の覆域５２７、および第８の覆域５２８とを覆域とする第１のアンテナ３５１と、第３の覆域５２３、第４の覆域５２４、第６の覆域５２６、第９の覆域５２９、および第１０の覆域５３０とを覆域とする第２のアンテナ３５２とをあわせて備えることにより、電波障害物による遮蔽の影響を受けることなく、全周の覆域を得ることができる。
【００４７】
ここで、図６の構成では、第１のアンテナ３５１については、第２のアンテナ３５２を挟む第１の覆域５２１と第２の覆域５２１とを有し、また、第２のアンテナ３５２については、第１のアンテナ３５１を挟む第３の覆域５２３と第４の覆域５２４とを有するのであれば、電波障害物による遮蔽の影響を受けることない。さらに、第３の覆域５２３と第４の覆域５２４とに挟まれた第５の覆域５２５が第１のアンテナ３５１の覆域であり、第１の覆域５２１と第２の覆域５２１とに挟まれた第６の覆域５２６が第２のアンテナ３５２の覆域であれば、残りの、第７の覆域５２７ないし第１０の覆域５３０は、第１のアンテナ３５１の覆域であっても、第２のアンテナ３５２の覆域であっても構わない。このため、例えば、第１のアンテナを第１の素子アンテナ５２１、第２の素子アンテナ５２２、および第５の素子アンテナ５２５の３つの素子アンテナで構成し、第２のアンテナ３５２を、第３の素子アンテナ５２３、第４の素子アンテナ５２４、第６の素子アンテナ５２６、第７の素子アンテナ５２７、第８の素子アンテナ５２８、第９の素子アンテナ５２９、および第１０の素子アンテナ５３０の７つの素子アンテナで構成するなどとして、第１のアンテナ３５１と第２のアンテナ３５２を異なる数の素子アンテナで構成しても、第１のアンテナ３５１と第２のアンテナ３５２により、電波障害物による遮蔽の影響を受けることなく、全周の覆域を得ることができる。
【００４８】
また、上記のように、第１のアンテナ３５１の有する覆域の数と第２のアンテナ３５２の有する覆域の数が異なる場合、第１のアンテナ３５１の有する覆域どうしの方位の範囲、または、第２のアンテナ３５２の有する覆域どうしの方位の範囲が連続するまたは重複するものがあるが、それら範囲が連続するまたは重複する複数の覆域については、複数の覆域のそれぞれに対応する複数の素子アンテナを、より覆域の広い少数の素子アンテナに置き換えても良い。例えば、第２のアンテナ３５２を、第３の素子アンテナ５２３、第４の素子アンテナ５２４、第６の素子アンテナ５２６、第７の素子アンテナ５２７、第８の素子アンテナ５２８、第９の素子アンテナ５２９、および第１０の素子アンテナ５３０の７つの素子アンテナで構成したものに対して、覆域が隣り合う第３の素子アンテナ６２３、第７の素子アンテナ６２７、第９の素子アンテナ６２９の３つの素子アンテナの２または３について、覆域の広い１つ、または２つの素子アンテナに置き換えるなども可能である。
【００４９】
第１のアンテナ３５１および第２のアンテナ３５２に含まれる素子アンテナの個数が更に多い場合についても、図６に示す構成と同様に構成することが可能であり、全周を２Ｎ（Ｎは３以上の奇数）に等分割する覆域を持つ２Ｎ個の素子アンテナを、各素子アンテナを第１のアンテナ３５１および第２のアンテナ３５２に配置することで、電波障害物による遮蔽の影響を受けることなく、全周の覆域を得ることができる。図６は、Ｎ＝５の例であるが、図２についても、Ｎ＝３の例に該当する。以下に、Ｎについて、３以上の奇数の場合について説明する。
【００５０】
全周を２Ｎ（Ｎは３以上の奇数）に等分割する覆域を持つ２Ｎ個の素子アンテナにより構成される、第１のアンテナ３５１および第２のアンテナ３５２において、第１のアンテナ３５１に属する任意の素子アンテナに対して、覆域がその素子アンテナの覆域の両側に隣接する２つの素子アンテナを第２のアンテナ３５２に配置し、第２のアンテナ３５２に属する任意の素子アンテナに対して、覆域がその素子アンテナの覆域の両側に隣接する２つの素子アンテナを第１のアンテナ３５１に配置する。このようにして、第１のアンテナ３５１にＮ個の素子アンテナを配置し、第２のアンテナ３５２に残りのＮ個の素子アンテナを配置すると、第１のアンテナ３５１、第２のアンテナ３５２は、それぞれ、図６のように、正Ｎ角形状に素子アンテナを配置することができる。
【００５１】
このとき、Ｎは奇数であるため、第１のアンテナ３５１に属する任意の素子アンテナと１８０度異なる範囲を指向する素子アンテナは第２のアンテナ３５２に属する。このため、正Ｎ角形状に素子アンテナを配置した第１のアンテナ３５１の１つの角に対向するように、正Ｎ角形状に素子アンテナを配置した第２のアンテナを配置すると、第２のアンテナ３５２の１つの角も第１のアンテナ３５１に対向する。ここで、第１のアンテナ３５１の、第２のアンテナ３５２に対向する角の両側に配置された素子アンテナをそれぞれ第１の素子アンテナ６２１および第２の素子アンテナ６２２とし、第２のアンテナ３５２の、第１のアンテナ３５１に対向する角の両側に配置された素子アンテナをそれぞれ第３の素子アンテナ６２３および第４の素子アンテナ６２４とすることができる。
【００５２】
この様にすると、第１のアンテナ３５１の第１の素子アンテナ６２１の第１の覆域５２１と、第２の素子アンテナ６２２の第２の覆域５２２で、電波障害物である構造物４００と第２のアンテナ３５２を挟む配置とすることができる。また、同時に、第２のアンテナ３５２の第３の素子アンテナ６２３の第３の覆域５０３と、第４の素子アンテナ６２４の第４の覆域５２４で電波障害物である構造物４００と第１のアンテナ３５１を挟む配置とすることができるため、全周を２Ｎ（Ｎは３以上の奇数）に等分割する覆域を持つ２Ｎ個の素子アンテナをＮ個ずつ配置した第１のアンテナ３５１と第２のアンテナ３５２とにより、電波障害物による遮蔽の影響を回避し、全周を覆域とすることができる。
【００５３】
図６において、例えば、第１の素子アンテナ６２１と第７の素子アンテナ６２７は、それぞれの覆域である第１の覆域５２１と第７の覆域５２７の間に構造物４００または第２のアンテナ３５２を挟まない。このため、第１の素子アンテナ６２１と第７の素子アンテナ６２７は、第１の覆域５２１と第７の覆域５２７を共に含む覆域を持つ１つの素子アンテナで代替しても良い。全周を２Ｎ（Ｎは３以上の奇数）に等分割する覆域を持つ２Ｎ個の素子アンテナをＮ個ずつ配置した第１のアンテナ３５１と第２のアンテナ３５２について同様にすると、第１のアンテナ３５１と第２のアンテナ３５２で構成するアンテナ装置は、合計２Ｎ−１（Ｎは３以上の奇数）の素子アンテナで置き換えて構成することができる。さらに、第１の覆域５２１と第７の覆域５２７を共に含む覆域を持つ素子アンテナと、第５の素子アンテナ６２５は、第１の覆域５２１と第５の覆域５２５と第７の覆域５２７とを全て含む覆域を持つ１つの素子アンテナで置き換えて構成することができ、この様にすると、第１のアンテナ６２５と第２のアンテナ６２６で構成するアンテナ装置は、合計２Ｎ−２（Ｎは３以上の奇数）の素子アンテナで置き換えて構成することができる。
【００５４】
上記のように、第１のアンテナ３５１の有する、互いの覆域で構造物４００も第２のアンテナ３５２も挟まない２つの素子アンテナを、１つの素子アンテナで置き換えることでアンテナ装置を構成する素子アンテナの数を１つ減らすことができる。同様に、第２のアンテナ３５３の有する、互いの覆域で構造物４００も第１のアンテナ３５１も挟まない２つの素子アンテナを、１つの素子アンテナで置き換えることでアンテナ装置を構成する素子アンテナの数を１つ減らすことができる。これらの置き換えを第１のアンテナ３５１および第２のアンテナ３５２で行なうと、Ｎが３以上の奇数の場合について、第１のアンテナ６２５と第２のアンテナ６２６の素子アンテナの数の合計は、２Ｎ、２Ｎ−１、２Ｎ−２のいずれにもできる。このため、第１のアンテナ６２５と第２のアンテナ６２６の素子アンテナの数の合計は、４以上の任意の数とすることができる。更に、第１のアンテナ３５１の第１の覆域５２１と第２の覆域５２２とを共に有する素子アンテナや、第２のアンテナ３５２の第３の覆域５２３と第４の覆域５２４とを共に有する素子アンテナを使用すると、合計２以上の任意の数の素子アンテナにより、第１のアンテナ３５１と第２のアンテナ３５２によるアンテナ装置を得ることができる。
【００５５】
実施の形態４．
図７（ａ）および（ｂ）は、本発明の実施の形態４に係るアンテナ装置の構成を示す図であり、アンテナ装置を第１のアンテナ３１および第２のアンテナ３２の２つのアンテナで構成した構成の変形例を示している。図７（ａ）および（ｂ）は、第１のアンテナ３１および第２のアンテナ３２とその覆域を上（図１のＡで示した矢印の方向）から見た図を示している。実施の形態１では、第２のアンテナ３０２は、第１の覆域５０１と第２の覆域５０２とに挟まれている第５の覆域５０５を有し、第１のアンテナ３０１は、第３の覆域５０３と第４の覆域５０４とに挟まれている第６の覆域を有するが、実施の形態４では、第１のアンテナ３６１または３７１や、第２のアンテナ３６２や３７２の外部に配置した素子アンテナが、第１の覆域５０１と第２の覆域５０２とに挟まれている覆域および、第３の覆域５０３と第４の覆域５０４とに挟まれている覆域を有する構成を示す。
【００５６】
図７（ａ）における、第１のアンテナ３６１および第２のアンテナ３６２は、それぞれ図１に示した第１のアンテナ３１および第２のアンテナ３２の、実施の形態４における構成の一例である。図７（ａ）では、図２の構成と同様に、第１のアンテナ３６１の覆域である第１の覆域５０１と第２の覆域５０２は、それぞれ異なる範囲を指向し、第２のアンテナ３６２は、第１の覆域５０１と第２の覆域５０２に挟まれて配置されている。第２のアンテナ３６２の覆域である第３の覆域５０３と第４の覆域５０４は、それぞれ異なる範囲を指向し、第３の覆域５０３と第４の覆域５０４とで第１のアンテナ３６１を挟んでいる。また、電波障害物である構造物４００と第１のアンテナ３６１の覆域および第２のアンテナ３６２の覆域との位置関係に関しても図２と同様であり、構造物４００は、第１のアンテナ３６１のそれぞれ異なる範囲を指向している覆域である第１の覆域５０１と第２の覆域５０２とに挟まれていると共に、第２のアンテナ３６２のそれぞれ異なる範囲を指向している覆域である第３の覆域５０３と第４の覆域５０４とに挟まれている。このため、第１のアンテナ３６１および、第２のアンテナ３６２は、電波障害物である構造物４００による遮蔽の影響を受けない。
【００５７】
一方、第５の覆域５０５を有する第５の素子アンテナ６０５については、第５の素子アンテナ６０５が、第１の覆域５０１ないし第４の覆域５０４、第６の覆域５０６のいずれも遮らず、かつ、第５の覆域５０５が、構造物４００、第１のアンテナ３６１、第２のアンテナ３６２、または第６の素子アンテナ６０６のいずれにも遮られない限り、第１のアンテナ３６１の外部に配置されても構わない。第５の素子アンテナ６０５が、第１の覆域５０１ないし第４の覆域５０４、第６の覆域５０６のいずれも遮らない範囲としては、（１）第３の覆域５０３と第４の覆域５０４とに挟まれ、かつ、第１の覆域５０１と第２の覆域５０２とに挟まれている範囲（図７（ａ）のＨで示した範囲）、（２）第１の覆域５０１と第２の覆域５０２とに挟まれ、第３の覆域５０３および第４の覆域５０４を挟んで第１のアンテナ３６１の反対側に位置する範囲（図７（ａ）のＧで示した範囲）、および（３）第３の覆域５０３と第４の覆域５０４とに挟まれ、第１の覆域５０１および第２の覆域５０２を挟んで第２のアンテナ３６２の反対側に位置する範囲（図７（ａ）のＩで示した範囲）の３つの範囲が該当する。このため、第５の素子アンテナ６０５は、図７（ａ）のＧ、Ｈ、またはＩで示したいずれかの範囲に、第５の覆域５０５が、構造物４００、第１のアンテナ３６１、第２のアンテナ３６２、または第６の素子アンテナ６０６のいずれにも遮られないように配置すれば良い。
【００５８】
このことは、第６の覆域５０６を有する第６の素子アンテナ６０６についても同様であり、第６の素子アンテナ６０６は、図７（ａ）のＧ、Ｈ、またはＩで示した３つの範囲のずれかに、第６の覆域５０６が、構造物４００、第１のアンテナ３６１、第２のアンテナ３６２、または第５の素子アンテナ６０５のいずれにも遮られないように配置すれば良い。
【００５９】
図７（ａ）は、第５の素子アンテナ６０５をＩで示した範囲に、第６の素子アンテナ６０６をＧで示した範囲に配置したものである。第５の素子アンテナ６０５は、図７（ａ）のＩで示した範囲に配置すれば、第５の覆域５０５が、構造物４００、第１のアンテナ３６１、第２のアンテナ３６２、または第６の素子アンテナ６０６のいずれにも遮られない。また、第６の素子アンテナ６０６についても、図７（ａ）のＧで示した範囲に配置すれば、第６の覆域５０６が、構造物４００、第１のアンテナ３６１、第２のアンテナ３６２、または第５の素子アンテナ６０５のいずれにも遮られない。このため、図７（ａ）の様に配置することにより、第５の素子アンテナ６０５、第６の素子アンテナ６０６をそれぞれ第１のアンテナ３６１、第２のアンテナ３６２の外部に配置した構成で、電波障害物による遮蔽の影響を回避でき、全周を覆域とすることができる。
【００６０】
図７（ｂ）における、第１のアンテナ３７１および第２のアンテナ３７２は、それぞれ図１に示した第１のアンテナ３１および第２のアンテナ３２の、実施の形態４における構成のさらなる一例である。図７（ｂ）では、図２などにおける第５の覆域５０５および第６の覆域５０６を有する素子アンテナを第１のアンテナ３７１および、第２のアンテナ３７２の外部に配置している。図７（ｂ）において、第１のアンテナ３７１に配置された第１の素子アンテナ６０１と第２の素子アンテナ６０２、第２のアンテナ３７２に配置された第３の素子アンテナ６０３と第４の素子アンテナ６０４の配置および、その配置による効果は図７（ａ）と同様である。
【００６１】
ここで、第３の覆域５０３と第４の覆域５０４とに挟まれ、かつ、第１の覆域５０１と第２の覆域５０２とに挟まれている範囲（図７（ｂ）のＨで示した範囲）に配置するものは、第１のアンテナ３７１の覆域である第１の覆域５０１、第２の覆域５０２、第２のアンテナ３７２の覆域である第３の覆域、第４の覆域のいずれの覆域も遮らない。このため、第５の覆域５０５および第６の覆域５０６を有する素子アンテナを図７（ｂ）のＨで示した範囲に配置する。この際、第５の素子アンテナ６０５をそのまま図７（ｂ）のＨで示す範囲に配置すると、第１のアンテナ３７１が第５の覆域５０５を遮るため、第５の覆域５０５を第７の覆域５０７と第８の覆域５０８に分割し、第７の覆域５０７と第８の覆域５０８とで第１のアンテナ３７１を挟むように配置する。このようにすれば、第１のアンテナ３７１は第５の覆域５０５を遮らない。同様に、第６の素子アンテナ６０６をそのまま図７（ｂ）のＨで示す範囲に配置すると、第２のアンテナ３７２が第６の覆域５０６を遮るため、第６の覆域５０６を第９の覆域５０９と第１０の覆域５１０に分割し、第９の覆域５０９と第１０の覆域５１０とで第２のアンテナ３７２を挟むようにすれば、第２のアンテナ３７２は第６の覆域５０６を遮らない。このため、図７（ｂ）のＨで示した範囲に第７の素子アンテナ６０７と第９の素子アンテナ６０９とを備えた第３のアンテナ３７３、および、第８の素子アンテナ６０８と第１０の素子アンテナ６１０とを備えた第４のアンテナ３８３を配置することにより、電波障害物による遮蔽の影響を回避でき、全周を覆域とすることができる。
【００６２】
なお、図７（ａ）および図７（ｂ）では、図２の構成について、第５の覆域５０５と第６の覆域５０６を覆域とする素子アンテナを第１のアンテナ３６１または３７１、第２のアンテナ３６２または３７２の外部に配置する例を示したが、図４（ａ）、（ｂ）および図５（ａ）、（ｂ）の各構成における第５の覆域５０５と第６の覆域５０６を覆域とする素子アンテナについても同様にすることができる。また、図６の構成における第５の覆域５０５ないし第１０の覆域５１０を覆域とする素子アンテナについても同様にすることができる。
【００６３】
実施の形態５．
図８は、本発明の実施の形態５に係るアンテナ装置の構成を示す図であり、アンテナ装置を第１のアンテナ３１および第２のアンテナ３２の２つのアンテナで構成した構成を示している。図８は、第１のアンテナ３１および第２のアンテナ３２とその覆域を上（図１のＡで示した矢印の方向）から見た図を示している。図８における、第１のアンテナ３８１および第２のアンテナ３８２は、それぞれ図１に示した第１のアンテナ３１および第２のアンテナ３２の、実施の形態５における構成の一例である。実施の形態１では、第２のアンテナは、第１の覆域５０１と第２の覆域５０２とに挟まれている第５の覆域５０５を有し、第１のアンテナは、第３の覆域５０３と第４の覆域５０４とに挟まれている第６の覆域を有するが、実施の形態５では、第１の覆域５０１と第２の覆域５０２とに挟まれている覆域および、第３の覆域５０３と第４の覆域５０４とに挟まれている覆域は、いずれも第２のアンテナ３８２が有する構成を示す。図８において、第１のアンテナ３８１に配置された第１の素子アンテナ６０１と第２の素子アンテナ６０２、第２のアンテナ３８２に配置された第３の素子アンテナ６０３と第４の素子アンテナ６０４の配置および、その配置による効果は図２などと同様である。
【００６４】
ここで、第１の覆域５０１と第２の覆域５０２とに挟まれ、第３の覆域５０３および第４の覆域５０４を挟んで第１のアンテナ３８１の反対側に位置する範囲（図８のＧで示した範囲）に配置するものは、第１のアンテナ３８１の覆域である第１の覆域５０１、第２の覆域５０２、第２のアンテナ３８２の覆域である第３の覆域、第４の覆域のいずれの覆域も遮らない。このため、第５の覆域５０５を有する素子アンテナは、図８のＧで示した範囲に配置することで、第２のアンテナ３８２内に配置することができる。この際、第５の素子アンテナ６０５をそのまま図８のＧで示す範囲に配置すると、第１のアンテナ３８１が第５の覆域５０５を遮るため、第５の覆域５０５を第７の覆域５０７と第８の覆域５０８に分割し、第７の覆域５０７と第８の覆域５０８とで第１のアンテナ３７１を挟むように配置する。具体的には、図８に示すように、第７の覆域５０７を有する第７の素子アンテナ６０７と第８の覆域５０８を有する第８の素子アンテナ６０８とで、第３の素子アンテナ６０３と第４の素子アンテナ６０４とを挟む配置などにすればよい。また、第６の素子アンテナ６０６については、図８のＧで示した範囲に配置すれば、第６の覆域５０６が、構造物４００、第１のアンテナ３８１、第２のアンテナ３８２、または第５の素子アンテナ６０５のいずれにも遮られないため、第２のアンテナ３８２のGで示した範囲にある部分に配置する。以上の様に、図８の様に配置することにより、第５の素子アンテナ６０５、第６の素子アンテナ６０６をそれぞれ第１のアンテナ３６１、第２のアンテナ３６２の外部に配置した構成で、電波障害物による遮蔽の影響を回避でき、全周を覆域とすることができる。
【００６５】
実施の形態６．
実施の形態１ないし実施の形態５では、電波障害物による遮蔽の影響を回避するため、図１に示す第１のアンテナ３１および第２のアンテナ３２の２つのアンテナに、それぞれ電波障害物である構造物４０を挟む覆域を持たせているが、これに対して、実施の形態６では、第１のアンテナ３１、第２のアンテナ３２、および第３のアンテナ３３の３つのアンテナに、それぞれ電波障害物である構造物４０を挟む覆域を持たせる（第３のアンテナ３３は、図１中に表示していない）ことで、電波障害物による遮蔽の影響を回避する。図９は、本発明の実施の形態６に係るアンテナ装置の構成を示す図であり、第１のアンテナ３１、第２のアンテナ３２、および第３のアンテナ３３とその覆域を上（図１のＡで示した矢印の方向）から見た図を示している。
【００６６】
図９に示す構成では、アンテナ装置を第１のアンテナ８０１、第２のアンテナ８０２、および第３のアンテナ８０３で構成するが、これらはそれぞれ、図１における第１のアンテナ３１、第２のアンテナ３２、および第３のアンテナ３３に該当するものであり、アンテナ装置を３つのアンテナにより構成する。図９に示すとおり、第１のアンテナ８０１は、覆域が第１の覆域９０１となる第１の素子アンテナ１００１と、覆域が第２の覆域９０２となる第２の素子アンテナ１００２を備えている。このため、第１の覆域９０１と第２の覆域９０２は、第１のアンテナ８０１の覆域となる。また、第２のアンテナ８０２は、覆域が第３の覆域９０３となる第３の素子アンテナ１００３と、覆域が第４の覆域９０４となる第４の素子アンテナ１００４を備えている。このため、第３の覆域９０３と第４の覆域９０４は、第２のアンテナ８０２の覆域となる。さらに、第３のアンテナ８０３は、覆域が第５の覆域９０５となる第５の素子アンテナ１００５と、覆域が第６の覆域９０６となる第６の素子アンテナ１００６とを備えている。このため、第５の覆域９０５と第６の覆域９０６は、第３のアンテナ８０３の覆域となる。
【００６７】
第１のアンテナ８０１は、四角柱状の構造の互いに対向する２つの側面に、互いにその背面を対向させて第１の素子アンテナ１００１と第２の素子アンテナ１００２を配置し、第１の素子アンテナ１００１を配置した側面と第２の素子アンテナ１００２を配置した側面との両方に隣接する側面の１つを構造物４００に向けている。このため、第１の素子アンテナ１００１と第２の素子アンテナ１００２は、その開口面を、構造物４００とは垂直な方向に向けている。第２のアンテナ８０２は、四角柱状の構造の互いに対向する２つの側面に、互いにその背面を対向させて第３の素子アンテナ１００３と第４の素子アンテナ１００４を配置し、第３の素子アンテナ１００３を配置した側面と第４の素子アンテナ１００４を配置した側面との両方に隣接する側面の１つを構造物４００に向けている。このため、第３の素子アンテナ１００３と第４の素子アンテナ１００４は、その開口面を、構造物４００とは垂直な方向に向けている。第３のアンテナ８０３は、四角柱状の構造の互いに対向する２つの側面に、互いにその背面を対向させて第５の素子アンテナ１００５と第６の素子アンテナ１００６を配置し、第５の素子アンテナ１００５を配置した側面と第６の素子アンテナ１００６を配置した側面との両方に隣接する側面の１つを構造物４００に向けている。このため、第５の素子アンテナ１００５と第６の素子アンテナ１００６は、その開口面を、構造物４００とは垂直な方向に向けている。
【００６８】
図９では、第１のアンテナ８０１、第２のアンテナ８０２、および第３のアンテナ８０３の有する第１の覆域９０１ないし第６の覆域９０６の各覆域として、それぞれ全周を６等分した同等の広さをもつ覆域を使用したアンテナ装置の構成を示しており、そのため、第１のアンテナ８０１、第２のアンテナ８０２および第３のアンテナ８０３は、いずれも直方体状の形状であり、それぞれ１２０度ずつ異なる方向を向いて設置されている。ただし、各覆域が同等の広さを持つことは、実施の形態６においてはあくまでも一例であり、電波障害物による遮蔽の影響を回避すること、全周を覆域とすることに必要な条件では無い。このため、周囲の環境や、運用上の要求に従い、各覆域をそれぞれ異なる広さとしても良い。各覆域をそれぞれ異なる広さとすると、第１のアンテナ８０１、第２のアンテナ８０２、および第２のアンテナ８０３を上（図１のＡで示した矢印の方向）から見た形状も直方体とはなるとは限らず、それぞれの覆域に対応して決まるそれぞれの素子アンテナ面の向きに対応した形状となる。また、第１のアンテナ８０１、第２のアンテナ８０２、および第２のアンテナ８０３それぞれの向きの違いも１２０度とは異なる値になる。
【００６９】
第１のアンテナ８０１の覆域である第１の覆域９０１と第２の覆域９０２は互いに異なる範囲を指向している。第２のアンテナ８０２は、第１の覆域９０１と第２の覆域９０２に挟まれて配置されている。第２のアンテナ８０２の覆域である第３の覆域９０３と第４の覆域９０４は互いに異なる範囲を指向し、第３の覆域９０３と第４の覆域９０４とで第１のアンテナ８０１を挟んでいる。
【００７０】
第３のアンテナ８０３は、第１の覆域９０１と第２の覆域９０２とに挟まれて配置され、かつ、第３の覆域９０３と第４の覆域９０４とに挟まれて配置されるとともに、第１のアンテナ８０１、第２のアンテナ８０２とあわせて、電波障害物である構造物４００を囲む三角形状の位置に配置されている。第３のアンテナ８０３の覆域である第５の覆域９０５と第６の覆域９０６とは互いに異なる範囲を指向している。また、第５の覆域９０５と第６の覆域９０６とは、第１のアンテナ８０１と第２のアンテナ８０２とを挟んで互いに異なる範囲を指向している。
【００７１】
電波障害物である構造物４００は、第１のアンテナ８０１と第２のアンテナ８０２と第３のアンテナ８０３とに囲まれて配置されている。また、構造物４００は、第１のアンテナ８０１のそれぞれ異なる範囲を指向している覆域である第１の覆域９０１と第２の覆域９０２とに挟まれていると共に、第２のアンテナ８０２のそれぞれ異なる範囲を指向している覆域である第３の覆域９０３と第４の覆域９０４とに挟まれている。さらに、構造物４００は、第３のアンテナ８０３のそれぞれ異なる範囲を指向している覆域である第５の覆域９０５と第６の覆域９０６とに挟まれている。
【００７２】
第１のアンテナ８０１の第１の覆域９０１と第２の覆域９０２とに挟まれ、第１のアンテナ８０１の覆域外である方向に関しては、第２のアンテナ８０２の覆域と第３のアンテナ８０３の覆域が指向しており、第１の覆域９０１から第２の覆域９０２間で連続した覆域が得られる。この内、第１のアンテナ８０１の第１の覆域９０１と第２の覆域９０２とに挟まれ、構造物４００の側にある方向については、第３のアンテナ８０３の第６の覆域９０６と第２のアンテナ８０２の第３の覆域９０３とが指向しており、そのため、第１のアンテナ８０１と第２のアンテナ８０２と第３のアンテナ８０３の覆域をあわせると、順に第１の覆域９０１、第６の覆域９０６、第３の覆域９０３、第２の覆域９０２と連続した覆域が得られる。また、第１のアンテナ８０１の第１の覆域９０１と第２の覆域９０２とに挟まれ、構造物４００の反対側にある方向については、第３のアンテナ８０３の第５の覆域９０５と第２のアンテナ８０２の第４の覆域９０４とが指向しており、そのため、第１のアンテナ８０１と第２のアンテナ８０２と第３のアンテナ８０３の覆域をあわせると、順に第２の覆域９０２、第５の覆域９０５、第４の覆域９０４、第１の覆域９０１と連続した覆域が得られる。
【００７３】
同様に、第２のアンテナ８０２の第３の覆域９０３と第４の覆域９０４とに挟まれ、第２のアンテナ８０２の覆域外である方向に関しては、第１のアンテナ８０１の覆域と第３のアンテナ８０３の覆域が指向しており、第３の覆域９０３から第４の覆域９０４間で連続した覆域が得られる。この内、第２のアンテナ８０２の第３の覆域９０３と第４の覆域９０４とに挟まれ、構造物４００の側にある方向については、第１のアンテナ８０１の第２の覆域９０２と第３のアンテナ８０３の第５の覆域９０５とが指向しており、そのため、第１のアンテナ８０１と第２のアンテナ８０２と第３のアンテナ８０３の覆域をあわせると、順に第３の覆域９０３、第２の覆域９０２、第５の覆域９０５、第４の覆域９０４と連続した覆域が得られる。また、第２のアンテナ８０２の第３の覆域９０３と第４の覆域９０４とに挟まれ、構造物４００の反対側にある方向については、第１のアンテナ８０１の第１の覆域９０１と第３のアンテナ８０３の第６の覆域９０６とが指向しており、そのため、第１のアンテナ８０１と第２のアンテナ８０２と第３のアンテナ８０３の覆域をあわせると、順に第４の覆域９０４、第１の覆域９０１、第６の覆域９０６、第３の覆域９０３と連続した覆域が得られる。
【００７４】
さらに、第３のアンテナ８０３の第５の覆域９０５と第６の覆域９０６とに挟まれ、第３のアンテナ８０３の覆域外である方向に関しては、第１のアンテナ８０１の覆域と第２のアンテナ８０２の覆域が指向しており、第５の覆域９０５から第６の覆域９０６間で連続した覆域が得られる。この内、第３のアンテナ８０３の第５の覆域９０５と第６の覆域９０６とに挟まれ、構造物４００の側にある方向については、第２のアンテナ８０２の第４の覆域９０４と第１のアンテナ８０１の第１の覆域９０１とが指向しており、そのため、第１のアンテナ８０１と第２のアンテナ８０２と第３のアンテナ８０３の覆域をあわせると、順に第５の覆域９０５、第４の覆域９０４、第１の覆域９０１、第６の覆域９０６と連続した覆域が得られる。また、第３のアンテナ８０３の第５の覆域９０５と第６の覆域９０６とに挟まれ、構造物４００の反対側にある方向については、第２のアンテナ８０２の第３の覆域９０３と第１のアンテナ８０１の第２の覆域９０２とが指向しており、そのため、第１のアンテナ８０１と第２のアンテナ８０２と第３のアンテナ８０３の覆域をあわせると、順に第６の覆域９０６、第３の覆域９０３、第２の覆域９０２、第５の覆域９０５と連続した覆域が得られる。これらのことから、第１のアンテナ８０１と第２のアンテナ８０２と第３のアンテナ８０３の覆域をあわせると、全周にわたり、連続した覆域を得ることができる。
【００７５】
以上のように図９に示す構成のアンテナ装置では、第１のアンテナ８０１の第１の覆域９０１と第２の覆域９０２とに挟まれ、かつ第２のアンテナ８０２の第３の覆域９０３と第４の覆域９０４に挟まれ、さらに第３のアンテナ８０３の第５の覆域９０５と第６の覆域９０６とに挟まれた範囲は、第１のアンテナ８０１の覆域からも第２のアンテナ８０２の覆域からも第３のアンテナ８０３の覆域からも外れているため、この範囲に電波障害物である構造物４００が存在してもいずれのアンテナの覆域も遮ることが無い。また、第１のアンテナ８０１は、第２のアンテナ８０２の覆域からも第３のアンテナ８０３の覆域からも外れた範囲に位置し、第２のアンテナ８０２は、第３のアンテナ８０３の覆域からも第１のアンテナ８０１の覆域からも外れた範囲に位置し、第３のアンテナ８０３は、第１のアンテナ８０１の覆域からも第２のアンテナ８０２の覆域からも外れた範囲に位置するため、それぞれのアンテナは互いに覆域を遮る事が無い。このため、第１の覆域９０１と第２の覆域９０２とを覆域とする第１のアンテナ８０１と、第３の覆域９０３と第４の覆域９０４とを覆域とする第２のアンテナ８０２と、第５の覆域９０５と第６の覆域９０６とを覆域とする第３のアンテナ８０３とをあわせて備えることにより、電波障害物による遮蔽の影響を受けることなく、全周の覆域を得ることができる。
【００７６】
図９では、第１のアンテナ８０１における第１の素子アンテナ１００１と第２の素子アンテナ１００２は、互いにその背面を対向させた配置の例を示したが、第１の素子アンテナ１００１と第２の素子アンテナ１００２が、互いに背面を対向させていることは、実施の形態６においてはあくまでも一例であり、電波障害物による遮蔽の影響を回避することに必要な条件では無い。その理由は、第１の素子アンテナ１００１と第２の素子アンテナ１００２が、互いに背面を対向させなくても第１の素子アンテナ１００１の有する第１の覆域９０１と第２の素子アンテナ１００２の有する第２の覆域９０２で構造物４００、第２のアンテナ８０２および第３のアンテナ８０３を挟むことは可能であることによる。このため、第１のアンテナ８０１の内部における、第１の素子アンテナ１００１および第２の素子アンテナ１００２の配置は、第１の覆域９０１および第２の覆域９０２の向きが同一である限り自由であり、例えば、第１の素子アンテナ１００１の開口面の隣に第２の素子アンテナ１００２の背面が並ぶなどのような配置も可能である。
【００７７】
なお、図９において、第１のアンテナ８０１および第２のアンテナ８０２の近傍では、第３の素子アンテナ１００３による第３の覆域９０３と第２の素子アンテナ１００２による第２の覆域９０２との間に、どちらの覆域からも覆域外となる部分が存在する。これは、第１のアンテナ８０１および第２のアンテナ８０２の近傍では、覆域９０３と覆域９０２との間の任意の一点（仮にＹ地点とする）については、第３の素子アンテナ１００３からＹ地点を望む角度は、覆域９０３の境界から大きく外れており、同様に第２の素子アンテナ１００２からＹ地点を望む角度は、覆域９０２の境界から大きく外れているため、第３の素子アンテナ１００３においても、第２の素子アンテナ１００２においても覆域外となることによる。
【００７８】
しかし、十分遠方においては、第３の素子アンテナ１００３から任意のＹ地点を望む角度は第３の覆域９０３の境界の角度との差がほぼ０度であり、同様に、第２の素子アンテナ１００２から任意のＹ地点を望む角度は第２の覆域９０２の境界の角度との差がほぼ０度であるため、任意のＹ地点は第３の覆域９０３の境界上の点でもあり、覆域９０２の境界上の点でもあることになり、第３の覆域９０３と第５の覆域９０５は途切れることなく連続する。このことは、第５の覆域９０５と第４の覆域９０４および第１の覆域９０５と第６の覆域９０４のそれぞれの関係についても同様であり、十分遠方においてはこれらの覆域と覆域の間は連続するため、第１のアンテナ８０１の覆域と、第２のアンテナ８０２と、第３のアンテナ８０３との覆域をあわせて、途切れることなく全周に連続した覆域を得ることができる。
【００７９】
また、図９では、第４の覆域９０４、第１の覆域９０１、第６の覆域９０６、第３の覆域９０３、第２の覆域９０３、第５の覆域９０５の各隣り合う覆域どうし、互いにその境界を接するように構成したが、第４の覆域９０４、第１の覆域９０１、第６の覆域９０６、第３の覆域９０３、第２の覆域９０３、第５の覆域９０５の各覆域を広くし、互いにその境界において重なるように構成しても良い。
【００８０】
実施の形態７．
実施の形態７では、実施の形態６と同様に、第１のアンテナ３１、第２のアンテナ３２、および第３のアンテナ３３の３つのアンテナに、それぞれ電波障害物である構造物４０を挟む覆域を持たせることで、電波障害物による遮蔽の影響を回避する。図１０は、本発明の実施の形態７に係るアンテナ装置の構成を示す図であり、第１のアンテナ３１、第２のアンテナ３２、および第３のアンテナ３３とその覆域を上（図１のＡで示した矢印の方向）から見た図を示している（第３のアンテナ３３は、図１中に表示していない）。図９では、電波障害物による遮蔽の影響を回避し全周の覆域を得るため、第１のアンテナ８０１、第２のアンテナ８０２、第３のアンテナ８０３の３つの各アンテナで、それぞれ全周を６分割した覆域のうちの２つずつの覆域を有することで、それぞれ電波障害物である構造物４００を挟む覆域としているが、実施の形態７では、図１０で示すように、更に多数の素子アンテナによる細かい覆域を組み合わせて、第１のアンテナ８１１、第２のアンテナ８１２、第３のアンテナ８１３の３つの各アンテナを構成し、電波障害物による遮蔽の影響を受けることなく、全周の覆域を得ることができる。
【００８１】
図１０に示すとおり、第１のアンテナ８１１は、覆域が第１の覆域９１１となる第１の素子アンテナ１０１１と、覆域が第２の覆域９１２となる第２の素子アンテナ１０１２と、覆域が第７の覆域９１７となる第７の素子アンテナ１０１７と、覆域が第８の覆域９１８となる第８の素子アンテナ１０１８とを備えている。このため、第１の覆域９１１と第２の覆域９１２と第７の覆域９１７と第８の覆域９１８は、第１のアンテナ８１１の覆域となる。第１のアンテナ８１１は、五角柱状の構造の１つの側面を構造物４００に向け、構造物４００に向けた側面を挟んだ両側の側面にそれぞれ第１の素子アンテナ１０１１、第２の素子アンテナ１０１２を配置し、残りの側面にそれぞれ第７の素子アンテナ１０１７、第８の素子アンテナ１０１８を配置している。
【００８２】
また、第２のアンテナ８１２は、覆域が第３の覆域９１３となる第３の素子アンテナ１０１３と、覆域が第４の覆域９１４となる第４の素子アンテナ１０１４と、覆域が第９の覆域９１９となる第９の素子アンテナ１０１９と、覆域が第１０の覆域９２０となる第１０の素子アンテナ１０２０とを備えている。このため、第３の覆域９１３、第４の覆域９１３、第９の覆域９１９、および第１０の覆域９２０は、第２のアンテナ８１２の覆域となる。第２のアンテナ８１２は、五角柱状の構造の１つの側面を構造物４００に向け、構造物４００に向けた側面を挟んだ両側の側面にそれぞれ第３の素子アンテナ１０１３、第４の素子アンテナ１０１４を配置し、残りの側面にそれぞれ第９の素子アンテナ１０１９、第１０の素子アンテナ１０２０を配置している。
【００８３】
さらに、第３のアンテナ８１３は、覆域が第５の覆域９１５となる第５の素子アンテナ１０１５と、覆域が第６の覆域９１６となる第６の素子アンテナ１０１６と、覆域が第１１の覆域９２１となる第１１の素子アンテナ１０２１と、覆域が第１２の覆域９２２となる第１２の素子アンテナ１０２２とを備えている。このため、第５の覆域９１５、第６の覆域９１６、第１１の覆域９２１、および第１２の覆域９２２は、第３のアンテナ８１３の覆域となる。第３のアンテナ８１３は、五角柱状の構造の１つの側面を構造物４００に向け、構造物４００に向けた側面を挟んだ両側の側面にそれぞれ第５の素子アンテナ１０１５、第６の素子アンテナ１０１６を配置し、残りの側面にそれぞれ第１１の素子アンテナ１０２１、第１２の素子アンテナ１０２２を配置している。第１のアンテナ８１１、第２のアンテナ８１２、および第３のアンテナ８１３の有する第１の覆域９１１ないし第１２の覆域１０２２の各覆域として、それぞれ全周を１２等分した同等の広さをもつ覆域を使用している。ただし、各覆域が同等の広さを持つことは、実施の形態７においてはあくまでも一例であり、電波障害物による遮蔽の影響を回避すること、全周を覆域とすることに必要な条件では無い。このため、周囲の環境や、運用上の要求に従い、各覆域をそれぞれ異なる広さとしても良い。
【００８４】
第１のアンテナ８１１の覆域である第１の覆域９１１と第２の覆域９１２は互いに異なる範囲を指向している。第２のアンテナ８１２は、第１の覆域９１１と第２の覆域９１２に挟まれて配置されている。第２のアンテナ８１２の覆域である第３の覆域９１３と第４の覆域９１４は互いに異なる範囲を指向し、第３の覆域９１３と第４の覆域９１４とで第１のアンテナ８１１を挟んでいる。
【００８５】
第３のアンテナ８１３は、第１の覆域９１１と第２の覆域９１２にと挟まれて配置され、かつ、第３の覆域９１３と第４の覆域９１４にと挟まれて配置されるとともに、第１のアンテナ８１１、第２のアンテナ８１２とあわせて、電波障害物である構造物４００を囲む三角形状に配置されている。第３のアンテナ８１３の覆域である第５の覆域９１５と第６の覆域９１６とは互いに異なる範囲を指向している。また、第５の覆域９１５と第６の覆域９１６とは、第１のアンテナ８１１と第２のアンテナ８１２とを挟んで互いに異なる範囲を指向している。
【００８６】
電波障害物である構造物４００は、第１のアンテナ８１１と第２のアンテナ８１２と第３のアンテナ８１３とに囲まれて配置されている。また、構造物４００は、第１のアンテナ８１１のそれぞれ異なる範囲を指向している覆域である第１の覆域９１１と第２の覆域９１２とに挟まれていると共に、第２のアンテナ８１２のそれぞれ異なる範囲を指向している覆域である第３の覆域９１３と第４の覆域９１４とに挟まれている。さらに、構造物４００は、第３のアンテナ８１３のそれぞれ異なる範囲を指向している覆域である第５の覆域９１５と第６の覆域９１６とに挟まれている。
【００８７】
以上のように図１０に示す構成アンテナ装置では、第１のアンテナ８１１の第１の覆域９１１と第２の覆域９１２とに挟まれ、かつ第２のアンテナ８１２の第３の覆域９１３と第４の覆域９１４に挟まれ、さらに第３のアンテナ８１３の第５の覆域９１５と第６の覆域９１６とに挟まれた範囲は、第１のアンテナ８１１の覆域からも第２のアンテナ８１２の覆域からも第３のアンテナ８１３の覆域からも外れているため、この範囲に電波障害物である構造物４００が存在してもいずれのアンテナの覆域も遮ることが無い。また、第１のアンテナ８１１は、第２のアンテナ８１２の覆域からも第３のアンテナ８１３の覆域からも外れた範囲に位置し、第２のアンテナ８１２は、第３のアンテナ８１３の覆域からも第１のアンテナ８１１の覆域からも外れた範囲に位置し、第３のアンテナ８１３は、第１のアンテナ８１１の覆域からも第２のアンテナ８１２の覆域からも外れた範囲に位置するため、それぞれのアンテナは互いに覆域を遮る事が無い。また、第１の覆域９１１ないし第１２の覆域９２２はあわせて全周を覆域とするため、第１のアンテナ８１１の覆域と第２のアンテナ８１２の覆域と第３のアンテナ８１３をあわせて全周の覆域を得ることができる。
【符号の説明】
【００８８】
１０  電波発信源
２０  電波
３１  第１のアンテナ
３２  第２のアンテナ
３３  第３のアンテナ
４０  構造物（電波障害物）
３０１、３１１、３２１、３３１、３４１、３５１、３６１、３７１、３８１  第１のアンテナ
３０２、３１２、３２２、３３２、３４２、３５２、３６２、３７２、３８２  第２のアンテナ
４００  構造物（電波障害物）
５０１、５２１  第１の覆域
５０２、５２２  第２の覆域
５０３、５２３  第３の覆域
５０４、５２４  第４の覆域
６０１、６２１  第１の素子アンテナ
６０２、６２２  第２の素子アンテナ
６０３、６２３  第３の素子アンテナ
６０４、６２４  第４の素子アンテナ
８０１、８１１  第１のアンテナ
８０２、８１２  第２のアンテナ
８０３、８１３  第３のアンテナ
９０１、９１１  第１の覆域
９０２、９１２  第２の覆域
９０３、９１３  第３の覆域
９０４、９１４  第４の覆域
９０５、９１５  第５の覆域
９０６、９１６  第６の覆域
１００１、１０１１  第１の素子アンテナ
１００２、１０１２  第２の素子アンテナ
１００３、１０１３  第３の素子アンテナ
１００４、１０１４  第４の素子アンテナ
１００５、１０１５  第５の素子アンテナ
１００６、１０１６  第６の素子アンテナ
【図１】
2013255031.tif 000003
【図２】
2013255031.tif 000004
【図３】
2013255031.tif 000005
【図４】
2013255031.tif 000006
【図５】
2013255031.tif 000007
【図６】
2013255031.tif 000008
【図７】
2013255031.tif 000009
【図８】
2013255031.tif 000010
【図９】
2013255031.tif 000011
【図１０】
2013255031.tif 000012